(57)【特許請求の範囲】
【請求項１】
証明カード作成用顔画像撮影システムにおいて、
画像を取得するカメラと、
申請書が投入される申請書投入部と、
カメラにより申請者を撮像する直接撮像部と、
カメラにより申請書投入部内の申請書の顔画像を撮像する申請書撮像モードと、カメラにより直接撮像部を介して申請者を撮像する直接撮像モードとにカメラの光路を切換えるモード切換部と、
カメラおよびモード切換部を制御してカメラからの画像を入手する制御部とを備え、
制御部はモード切換部を作動させ、カメラの光路を申請書撮像モードまたは直接撮像モードのいずれかに切換えてカメラにより画像を取得し、制御部は申請書撮像モードおよび直接撮像モードの双方で取得した画像を入手するとともに、制御部は申請書撮像モードおよび直接撮像モードの双方で取得した画像を比較して、直接撮像モードで取得した画像に基づいて、申請書撮像モードで取得した画像の適否を判定する画像比較部を有することを特徴とする証明カード作成用顔画像撮像システム。
【請求項２】
申請書撮像モードの要否が入力される申請書撮像モード入力部を更に備え、
制御部は申請書撮像モード入力部からの信号に基づいて、申請書撮像モード切換部を作動させ、カメラの光路を申請書撮像モードに切換えることを特徴とする請求項１記載の証明カード作成用顔画像撮像システム。
【請求項３】
申請書投入部に申請書中の顔画像の有無を判定する画像判定部が設けられ、
制御部は顔画像判定部からの信号に基づいて、申請書中の顔画像が有る場合、モード切換部を作動させ、カメラの光路を申請書撮像モードに切換えることを特徴とする請求項１記載の証明カード作成用顔画像撮像システム。
【請求項４】
モード切換部は一対のシャッターを有し、いずれか一方のシャッターを開とし、他方のシャッターを閉としてカメラの光路を切換えることを特徴とする請求項１乃至３のいずれか記載の証明カード作成用顔画像撮像システム。
【請求項５】
カメラと各シャッターとの間にハーフミラーが介在されていることを特徴とする請求項５記載の証明カード作成用顔画像撮像システム。
【請求項６】
モード切換部はカメラを載置するとともに回転自在の回転台からなり、回転台を回転させてカメラの光路を申請書撮像モードまたは直接撮像モードのいずれかに切換えることを特徴とする請求項１乃至３のいずれか記載の証明カード作成用顔画像システム。
【発明の詳細な説明】
【技術分野】
【０００１】
本発明は、ＩＣチップを有するＩＣカード等の証明カードを作成するための証明カード作成用顔画像撮影システムに係り、とりわけ、申請者が希望する顔画像を採用することが可能な証明カード作成用顔画像撮影システムに関する。
【背景技術】
【０００２】
身分証明証などの身分確認時に用いられる証明カードとして、電子情報が記録されたＩＣチップを有するＩＣカードが知られている。このようなＩＣカードには、例えば、氏名、住所などの文字、数字等が印字されている。
【０００３】
この場合、ＩＣカードの表面には、氏名、住所などの文字、数字等が印字され、ＩＣカードの裏面には文字、数字等が印字される。
【０００４】
このようなＩＣカードを作成する場合、申請場所において申請者が予め申請者に必要事項を記入しておき、必要に応じて申請者の顔画像をカメラにより撮像する。
【０００５】
この場合、申請者は申請場所においてカメラにより顔画像が撮像されるが、申請者によっては自分が希望する写真画像を入手しておき、この写真画像の採用を希望する場合がある。
【０００６】
しかしながら、現在のところ、申請者の顔画像を直接カメラにより撮像するシステムと、申請者が自分の希望する写真画像を採用するシステムの両者の機能を有するシステムは開発されていないのが実情である。
【先行技術文献】
【特許文献】
【０００７】
【特許文献１】特開平７−２７１９５１号公報
【特許文献２】特開平８−９９４８７号公報
【発明の概要】
【発明が解決しようとする課題】
【０００８】
本発明はこのような点を考慮してなされたものであり、申請者の顔画像をカメラにより直接撮像する機能と、申請者が希望する写真画像を採用する機能の両者の機能を備えた簡便な証明カード作成用顔画像撮影システムを提供することを目的とする。
【課題を解決するための手段】
【０００９】
本発明は、証明カード作成用顔画像撮影システムにおいて、画像を取得するカメラと、申請書が投入される申請書投入部と、カメラにより申請者を撮像する直接撮像部と、
カメラにより申請書投入部内の申請書の顔画像を撮像する申請書撮像モードと、カメラにより直接撮像部を介して申請者を撮像する直接撮像モードとにカメラの光路を切換えるモード切換部と、カメラおよびモード切換部を制御してカメラからの画像を入手する制御部とを備え、制御部はモード切換部を作動させ、カメラの光路を申請書撮像モードまたは直接撮像モードのいずれかに切換えてカメラにより画像を取得し、制御部は申請書撮像モードおよび直接撮像モードの双方で取得した画像を入手するとともに、制御部は申請書撮像モードおよび直接撮像モードの双方で取得した画像を比較して、直接撮像モードで取得した画像に基づいて、申請書撮像モードで取得した画像の適否を判定する画像比較部を有することを特徴とする証明カード作成用顔画像撮像システムである。
【００１０】
本発明は、申請書撮像モードの要否が入力される申請書撮像モード入力部を更に備え、
制御部は申請書撮像モード入力部からの信号に基づいて、申請書撮像モード切換部を作動させ、カメラの光路を申請書撮像モードに切換えることを特徴とする証明カード作成用顔画像撮像システムである。
【００１１】
本発明は、申請書投入部に申請書中の顔画像の有無を判定する画像判定部が設けられ、制御部は顔画像判定部からの信号に基づいて、申請書中の顔画像が有る場合、モード切換部を作動させ、カメラの光路を申請書撮像モードに切換えることを特徴とするの証明カード作成用顔画像撮像システムである。
【００１３】
本発明は、モード切換部は一対のシャッターを有し、いずれか一方のシャッターを開とし、他方のシャッターを閉としてカメラの光路を切換えることを特徴とする証明カード作成用顔画像撮像システムである。
【００１４】
本発明は、カメラと各シャッターとの間にハーフミラーが介在されていることを特徴とする証明カード作成用顔画像撮像システムである。
【００１５】
本願発明は、モード切換部はカメラを載置するとともに回転自在の回転台からなり、回転台を回転させてカメラの光路を申請書撮像モードまたは直接撮像モードのいずれかに切換えることを特徴とする証明カード作成用顔画像システムである。
【発明の効果】
【００１６】
以上のように本発明によれば、モード切換部を作動させて、カメラにより申請書中の顔画像を撮像する申請書撮像モードと、カメラにより申請者を撮像する直接撮像モードとにカメラの光路を切り換えることができる。このため申請者の顔画像を直接撮像する機能と、申請者が希望する写真画像を採用する機能を双方の機能をもった簡便な構造のシステムを実現することができる。
【図面の簡単な説明】
【００１７】
【図１】図１は、本発明による証明カード作成用顔画像撮影システムが組込まれた証明カード作成装置全体を示す概略図。
【図２】図２（ａ）はＩＣカードの表面を示す図であって、図２（ｂ）はＩＣカードの裏面を示す図。
【図３】図３は本発明による証明カード作成用顔画像撮影システムの第１の実施の形態を示すフローチャート。
【図４】図４は本発明による証明カード作成用顔画像撮影システムの第２の実施の形態を示すフローチャート。
【図５】図５は本発明による証明カード作成用顔画像撮影システムの第３の実施の形態を示すフローチャート。
【発明を実施するための形態】
【００１８】
第１の実施の形態
以下、図１乃至図３を参照して本発明の第１の実施の形態について説明する。
【００１９】
はじめに図２（ａ）（ｂ）を参照して証明カード、例えばＩＣカード１１について説明する。
【００２０】
図２（ａ）（ｂ）に示すように、本発明による証明カード作成用顔画像撮影システムにより得られる証明カードは、カード基体１１Ｂと、運転免許証のようなＩＣチップ１１Ａとを含むＩＣカードからなり、ＩＣカード１１の表面１１ａには氏名、住所を表示する文字、数字等からなる印字部１２および顔画像１３が設けられている。またＩＣカード１１の裏面１１ｂにも追加情報となる印字部１５が設けられている。
【００２１】
さらにＩＣカード１１の裏面１１ｂには、たとえば臓器提供の意思を表示する文字からなる印字部１６が設けられ、この印字部１６はＩＣカード１１の裏面１１ｂに貼付された保護シール１７により隠されている。なお、保護シール１７の代わりに、ＩＣカード１１の裏面１１ｂに追加の備考紙が貼付されることもある。
【００２２】
次に図１により証明カード作成用顔画像撮影システムが組込まれた証明カード作成用装置全体について説明する。
【００２３】
証明カード作成用装置２０は、図１に示すように本発明による証明カード作成用顔画像システム２１を組込んだものである。このうち本発明による証明カード作成用顔画像撮影システム２１は、筐体２１ａと、筐体２１ａ内に配置され画像を取得するカメラ２２と、運転免許証のようなＩＣカード１１を発行するための申請書１が投入される申請書投入部３０と、カメラ２２にょり申請者を撮像する直接撮像部３１とを備えている。
【００２４】
このうち、申請書１には申請者３の住所、氏名等の情報が記載され、また必要に応じて顔画像２が設けられている。
【００２５】
また、申請書投入部３０は図１において、便宜上筐体２１ａの外方に配置されているが、この申請書投入部３０は、一般には筐体２１ａ内に組込まれている。また直接撮像部３１は筐体２１ａの一面に設けられた窓等からなっている。
【００２６】
さらにカメラ２２と窓（直接撮像部）３１との間の光路には、カメラ２２側から順次、ハーフミラー２５、集光レンズ２７ａおよびシャッター２４ａが配置され、ハーフミラー２５と申請書投入部３０との間には、集光レンズ２７ｂおよびシャッター２４ｂが配置されている。
【００２７】
そしてシャッター２４ａ、２４ｂにより、カメラ２２により申請書投入部３０内の申請書１の顔画像２を撮像する申請書撮像モードと、カメラ２２により窓３１を介して申請者３を撮像する直接撮像モードとにカメラ２２の光路を切換えるようになっている。
【００２８】
すなわち、カメラ２２により申請書投入部３０内の申請書１の顔画像２を撮像する場合は、シャッター２４ａを閉としてシャッター２４ａを開とする。またカメラ２２により窓３１を介して申請者３を撮像する場合は、シャッター２４ａを開としてシャッター２４ｂを閉とする。この場合、シャッター２４ａ、２４ｂはカメラ２２の光路を申請者撮像モードと、直接撮像モードとに切換えるモード切換部として機能する。
【００２９】
またハーフミラー２５および一対のシャッター２４ａ、２４ｂを設ける代わりに、カメラ２２を載置するとともに回転自在の回転台（図示せず）を設けてもよい。この場合、回転台を回転させてカメラ２２の光路を申請書撮像モードまたは直接撮像モードのいずれかに切換えることができ回転台はモード切換部として機能する。
【００３０】
また直接撮像モードにより申請者３を撮像する際、申請者３を照らす照明部２６が設けられている。
【００３１】
さらに申請書投入部３０内の申請書１の情報をスキャニングするため、スキャナ２３が設けられ、このスキャナ２３は好ましくは筐体２１ａ内に配置されている。
【００３２】
またカメラ２２、一対のシャッター２４ａ、２４ｂおよびスキャナ２３は、いずれも制御部３３に接続され、この制御部３３によりカメラ２２、一対のシャッター２４ａ、２４ｂおよびスキャナ２３が駆動制御される。
【００３３】
また証明カード作成用顔画像撮像システム２１の筐体２１ａの窓３１側の面には、申請者３に対して操作ガイダンスを表示する表示部２９が設けられている。さらに筐体２１ａの表示部２９近傍に、申請書撮像モードの要否を入力する申請書撮像モード入力部２８が設けられている。この申請書撮像モード入力部２８は、申請者３が申請書撮像モードの要否を入力するものであり、申請書撮像モード入力部２８からの信号は制御部３３へ送られる。この場合、申請書撮像モード入力部２８を表示部２９中に設けてもよい。
【００３４】
ところで制御部３３には、カード基体１１Ｂに対して印字を施して証明カードを作成するための証明カード用プリンタ３７が接続され、さらに制御部３３には申請者３の住所、氏名、顔画像等に関する過去のデータを記憶するファイリングサーバ３８が接続されている。また制御部３３にはスキャナ２３およびカメラ２２から送られた申請者の住所、氏名、顔画像等に関する現在のデータを記憶するホストサーバ３９が接続されている。
【００３５】
また制御部３３は、後述のように申請者の顔画像を保存する画像保存部３４と、申請書１中の顔画像２の有無を判定する画像判定部３５と、申請書撮像モードおよび直接撮像モードの双方のモードで取得した画像を比較していずれの画像を採用するか決定する画像比較部３６とを有している。
【００３６】
次にこのような構成からなる本実施の形態の作用について図１および図３により説明する。
【００３７】
まず、申請者３は証明カード発行受付を終え、証明カード作成用顔画像撮影システム２１の筐体２１ａに接近する。
【００３８】
次に申請者３は筐体２１ａの申請者投入部３０へ申請書１を投入する。この場合、申請書投入部３０内の申請書１上に記載された、住所、氏名、生年月日等に関するデータがスキャナ２３により読み取られる。スキャナ２３により読み取られた、住所、氏名、生年月日等に関する印字データは制御部３３に送られた後、ファイリングサーバ３８およびホストサーバ３９に保存される。
【００３９】
次に申請者３は申請書１に設けられた顔画像２を採用するか否かの希望を申請書撮像モード入力部２８に入力する。
【００４０】
すなわち申請者３は予め気に入った自分の写真（顔画像）２を申請書１上に貼付することができ、この場合は、申請書撮像モード入力部２８により申請書１上の顔画像２を撮像する申請書撮像モードを選択する。
【００４１】
申請者３が申請書撮像モード入力部２８を介して申請書撮像モードを選択した場合、申請者３は再度申請書１を申請書投入部３９内に投入する。
【００４２】
このとき、制御部３３はシャッター２４ａを閉、シャッター２４ｂを開として、カメラ２２の光路を申請書撮像モードに切換える。
【００４３】
この段階で制御部３３によりカメラ２２が作動し、申請書１中の顔画像２が撮像され、この顔画像２の画像はカメラ２２から制御部３３に送られる。制御部３３はカメラ２２から取得した顔画像２の画像を表示部２９に表示し、申請者３がこの画像を確認する。
【００４４】
申請者３が、この画像は切出ミス等の不備と判断した場合、表示部２９にその旨入力し、カメラ２２により申請書中の顔画像２が再度撮像される。その後、制御部３３はシャッター２４ａを開、シャッター２４を閉として、カメラ２２の光路を直接撮像モードに切換えて戻しておく。
【００４５】
他方、申請者３が申請書撮像モードを選択しない場合、制御部３３は表示部２９を介して申請者３に対して着座することを指示する。このとき予めシャッター２４ａが開、シャッター２４ｂが閉となって、カメラ２２の光路が直接撮像モードになっているため、制御部３３によりカメラ２２が作動し、申請者１の顔が直接撮像される。この申請者３の画像はカメラ２２から制御部３３に送られる。制御部３３はカメラ２２から取得した画像を表示部２９に表示する。
【００４６】
申請者３がこの画像は目つぶり等不備であると判断した場合、表示部２９にその旨入力し、カメラ２２により申請者１の顔が再度撮像される。
【００４７】
申請書撮像モードにより取得した画像データ、あるいは直接撮像モードにより取得した画像データは、制御部３３の画像保存部３４内に保存されるとともに、ファイリングサーバ３８およびホストサーバ３９に送られる。
【００４８】
次に制御部３３は、ホストサーバ３９に保存された、申請者３の住所、氏名、生年月日等に関する印字データおよび顔画像データを入手し、証明カード用プリンタ３７へ送る。  証明カード用プリンタ３７は制御部３３から送られた、住所、氏名、生年月日等に関する印字データおよび顔画像データに基づいて、カード基体１１Ｂ上に印字を施す。このようにしてＩＣカードからなる証明カード１１が得られる。
【００４９】
このように本実施の形態によれば、一対のシャッター２４ａ、２４ｂの開閉を行うだけで、容易にカメラの光路を申請者を撮像する直接撮像モードと、申請書を撮像する申請書撮像モードに切換えることができる。このため、申請者を直接撮像する機能と、申請者が希望する写真画像を採用する機能を双方の機能をもったシステムを容易に実現することができる。
【００５０】
第２の実施の形態
次に図４により本発明の第２の実施の形態について説明する。
【００５１】
図４に示す第２の実施の形態において、図１乃至図３に示す第１の実施の形態と同一部分には同一符号を付して詳細な説明は省略する。
【００５２】
図４において、まず、申請者３は証明カード発行受付を終え、証明カード作成用顔画像撮影システム２１の筐体２１ａに接近する。
【００５３】
次に申請者３は筐体２１ａの申請者投入部３０へ申請書１を投入する。この場合、申請書投入部３０内の申請書１上に記載された、住所、氏名、生年月日等に関するデータ、および顔画像２がある場合はこの顔画像２のデータがスキャナ２３により読み取られる。スキャナ２３により読み取られた、住所、氏名、生年月日等に関する印字データおよび顔画像データは制御部３３に送られた後、ファイリングサーバ３８およびファイリングサーバ３９に保存される。
【００５４】
次に制御部３３は申請書１中に顔画像２があるか否か判定する。この顔画像２の有無は画像判定部３５において判定される。
【００５５】
制御部３３の画像判定部３５が、申請書１中に顔画像２が存在すると判定した場合、制御部３３はシャッター２４ａを閉、シャッター２４ｂを開として、カメラ２２の光路を申請書撮像モードに切換える。
【００５６】
この段階で制御部３３によりカメラ２２が作動し、申請書１中の顔画像２が撮像され、この顔画像２の画像はカメラ２２から制御部３３に送られる。制御部３３はカメラ２２から取得した顔画像２の画像を表示部２９に表示し、申請者３がこの画像を確認する。
【００５７】
申請者３が、この画像は切出ミス等の不備と判断した場合、表示部２９にその旨入力し、カメラ２２により申請書中の顔画像２が再度撮像される。その後、制御部３３はシャッター２４ａを開、シャッター２４を閉として、カメラ２２の光路を直接撮像モードに切換えて戻しておく。
【００５８】
他方、制御部３３の画像判定部３５が、申請書１中に顔画像２が存在しないと判定した場合、制御部３３は表示部２９を介して申請者３に対して着座することを指示する。このとき予めシャッター２４ａが開、シャッター２４ｂが閉となって、カメラ２２の光路が直接撮像モードになっているため、制御部３３によりカメラ２２が作動し、申請者１の顔が直接撮像される。この申請者３の画像はカメラ２２から制御部３３に送られる。制御部３３はカメラ２２から取得した画像を表示部２９に表示する。
【００５９】
申請者３がこの画像は目つぶり等不備であると判断した場合、表示部２９にその旨入力し、カメラ２２により申請者１の顔が再度撮像される。
【００６０】
申請書撮像モードにより取得した画像データ、あるいは直接撮像モードにより取得した画像データは、制御部３３の画像保存部３４内に保存されるとともに、ファイリングサーバ３８およびホストサーバ３９に送られる。
【００６１】
次に制御部３３は、ホストサーバ３９に保存された、申請者３の住所、氏名、生年月日等に関する印字データおよび顔画像データを入手し、証明カード用プリンタ３７へ送る。  証明カード用プリンタ３７は制御部３３から送られた、住所、氏名、生年月日等に関する印字データおよび顔画像データに基づいて、カード基体１１Ｂ上に印字を施す。このようにしてＩＣカードからなる証明カード１１が得られる。
【００６２】
このように本実施の形態によれば、一対のシャッター２４ａ、２４ｂの開閉を行うだけで、容易にカメラの光路を申請者を撮像する直接撮像モードと、申請書を撮像する申請書撮像モードに切換えることができる。このため、申請者を直接撮像する機能と、申請者が希望する写真画像を採用する機能を双方の機能をもったシステムを容易に実現することができる。
【００６３】
第３の実施の形態
次に図５により本発明の第３の実施の形態について説明する。
【００６４】
図５に示す第３の実施の形態において、図１乃至図３に示す第１の実施の形態と同一部分には同一符号を付して詳細な説明は省略する。
【００６５】
図５において、まず、申請者３は証明カード発行受付を終え、証明カード作成用顔画像撮影システム２１の筐体２１ａに接近する。
【００６６】
次に申請者３は筐体２１ａの申請者投入部３０へ申請書１を投入する。この場合、申請書投入部３０内の申請書１上に記載された、住所、氏名、生年月日等に関するデータ、および顔画像２がある場合はこの顔画像２のデータがスキャナ２３により読み取られる。スキャナ２３により読み取られた、住所、氏名、生年月日等に関する印字データおよび顔画像データは制御部３３に送られた後、ファイリングサーバ３８およびファイリングサーバ３９に保存される。
【００６７】
次に、制御部３３は表示部２９を介して申請者３に対して着座することを指示する。このとき予めシャッター２４ａが開、シャッター２４ｂが閉となって、カメラ２２の光路が直接撮像モードになっているため、制御部３３によりカメラ２２が作動し、申請者１の顔が直接撮像される。この申請者３の画像はカメラ２２から制御部３３に送られる。制御部３３はカメラ２２から取得した画像を表示部２９に表示する。
【００６８】
申請者３がこの画像は目つぶり等不備であると判断した場合、表示部２９にその旨入力し、カメラ２２により申請者１の顔が再度撮像される。直接撮像モードにより取得された申請者３の画像データは画像保存部３４内に保存される。
【００６９】
次に、制御部３３はシャッター２４ａを閉、シャッター２４ｂを開として、カメラ２２の光路を申請書撮像モードに切換える。
【００７０】
この段階で制御部３３によりカメラ２２が作動し、申請書投入部３０に投入されている申請書１中の顔画像２が撮像され、この顔画像２の画像はカメラ２２から制御部３３に送られる。制御部３３はカメラ２２から取得した顔画像２の画像を表示部２９に表示し、申請者３がこの画像を確認する。
【００７１】
申請者３が、この画像は切出ミス等の不備と判断した場合、表示部２９にその旨入力し、カメラ２２により申請書中の顔画像２が再度撮像される。
【００７２】
申請書撮像モードにより取得した画像データ、あるいは直接撮像モードにより取得した画像データは、制御部３３の画像保存部３４内に保存されるとともに、ファイリングサーバ３８およびホストサーバ３９に送られる。
【００７３】
次に制御部３３において、画像保存部３４内に保存された、申請書撮像モードにより取得した顔画像２の画像データと、直接撮像モードにより取得した申請者の画像データを画像比較部３６において比較される。この場合、必要に応じて、ファイリングサーバ３８に保存された過去の画像データを画像比較部３６に送り、この過去の画像データを同時に比較してもよい。
【００７４】
このように申請書撮像モードにより取得した顔画像２の画像データと、直接撮像モードにより取得した申請者３の画像データを画像比較部３６において比較することにより、以下のような効果を得ることができる。
【００７５】
すなわち、申請書１に添付された顔画像２が本当に本人のものであるか否か確認することができ、このことにより他人になりますまして不正に証明カード（ＩＣカード）１１を入手することが未然に防止される。また申請者３が入れ違ったりするミスを未然に防止することができる。
【００７６】
さらに申請書１に添付された顔画像２が証明カード（ＩＣカード）１１用のものとして適切なものであるか否か確認することができ、これにより本人の画像として登録するのに適切な画像であるか否かを判定することができる。同時に申請書１に添付された顔画像２の主要部が髪の毛で隠されていないかどうか、あるいは顔画像２の大きさが適切か否か等も判定することができる。
【００７７】
このとき申請書撮像モードで取得した顔画像２の画像データと、直接撮像モードで取得した申請者の画像データに基づいて、申請書撮像モードで取得した顔画像２の画像データが本人を正しく表示していると画像比較部３６において判断された場合、この顔画像２の画像データが用いられて後工程において、カード基体１１Ｂにプリントされる。
【００７８】
他方、画像比較部３６において、申請書撮像モードで取得した顔画像２の画像データが本人を正しく表示していないと判断された場合、顔画像２の画像データをい用いない旨、制御部３３から表示部２９に表示される。この場合は、直接撮像モードにより取得した申請者の画像データが用いられて後工程においてカード基体１１Ｂにプリントされる。
【００７９】
この間、制御部３３はシャッター２４ａを開、シャッター２４ｂを閉として、カメラ２２の光路を直接撮像モードに切換えて戻しておく。
【００８０】
次に制御部３３は、ホストサーバ３９に保存された、申請者３の住所、氏名、生年月日等に関する印字データおよび顔画像データを入手し、証明カード用プリンタ３７へ送る。この場合、画像比較部３６において比較された結果に基づいて、申請書撮像モード又は直接撮像モードのいずれかの顔画像データが用いられる。
【００８１】
証明カード用プリンタ３７は制御部３３から送られた、住所、氏名、生年月日等に関する印字データおよび顔画像データに基づいて、カード基体１１Ｂ上に印字を施す。このようにしてＩＣカードからなる証明カード１１が得られる。
【００８２】
このように本実施の形態によれば、一対のシャッター２４ａ、２４ｂの開閉を行うだけで、容易にカメラの光路を申請者を撮像する直接撮像モードと、申請書を撮像する申請書撮像モードに切換えることができる。このため、申請者を直接撮像する機能と、申請者が希望する写真画像を採用する機能を双方の機能をもったシステムを容易に実現することができる。
【００８３】
なお、上記各実施の形態において申請者３が申請書撮像モード入力部２８を操作したり、申請者３が表示部２９の画像を確認し、かつ再度撮像する旨入力する点について説明したが、これに限らず申請者３の代わりに専門のオペレータが申請書撮像モード入力部２８を操作したり、表示部２９の画像を確認し、かつ撮像する旨入力してもよい。
【符号の説明】
【００８４】
１  申請書
２  顔画像
３  申請者
２０  証明カード作成用装置
２１  証明カード作成用顔画像撮影システム
２１ａ  筐体
２２  カメラ
２３  スキャナ
２４ａ、２４ｂ  シャッター
２５  ハーフミラー
２６  照明部
２８  申請書撮像モード入力部
２９  表示部
３０  申請書投入部
３１  窓
３３  制御部
３４  画像保存部
３５  画像判定部
３６  画像比較部
３７  証明カード用プリンタ
３８  ファイリングサーバ
３９  ホストサーバ
【図１】
0005708151.tif 000002
【図２】
0005708151.tif 000003
【図３】
0005708151.tif 000004
【図４】
0005708151.tif 000005
【図５】
0005708151.tif 000006